(57)【特許請求の範囲】
【請求項１】
セカンダリタイミングアドバンス（TA）を取得する方法であって、
セカンダリセルが活性化され、前記セカンダリセルのセカンダリ時間調整タイマ（TAT）が動作していない場合、端末により、ランダムアクセス手順を開始するステップと、
前記端末により、前記ランダムアクセス手順で前記端末により受信されたTAに従って前記セカンダリセルのセカンダリTAを取得するステップと
を有し、
前記セカンダリセルの前記セカンダリTA及びプライマリセルのプライマリTAは、同じTAグループに属さない方法。
【請求項２】
前記セカンダリセルの前記セカンダリTAは、前記ランダムアクセス手順で前記端末により受信された前記TAである、請求項１に記載の方法。
【請求項３】
前記セカンダリセルが活性化され、前記セカンダリセルの前記セカンダリTATが動作していない場合、前記端末により、前記ランダムアクセス手順を開始するステップは、
前記セカンダリセルが活性化され、前記セカンダリセルの前記セカンダリTATが動作していない場合、ランダムアクセスコマンドを受信した後に、前記端末により、前記ランダムアクセス手順を開始することを有する、請求項１又は２に記載の方法。
【請求項４】
前記セカンダリTAが取得された場合、前記端末により、前記セカンダリセルの前記セカンダリTATを開始するステップと、
前記セカンダリTATが満了した場合、前記端末により、前記セカンダリセルでの上りリンク送信を停止するステップと
を更に有する、請求項１ないし３のうちいずれか１項に記載の方法。
【請求項５】
端末により、前記ランダムアクセス手順を開始する前に、
前記端末により、基地局からセカンダリセル活性化コマンドを受信するステップを更に有し、
前記セカンダリセル活性化コマンドは、前記セカンダリセルを活性化するために使用される、請求項１ないし４のうちいずれか１項に記載の方法。
【請求項６】
基地局により送信されたランダムアクセスコマンドを受信するように構成された受信ユニットと、
前記受信ユニットが前記ランダムアクセスコマンドを受信した後に、セカンダリセルが活性化され、前記セカンダリセルのセカンダリ時間調整タイマ（TAT）が動作していない場合、ランダムアクセス手順を開始するように構成されたランダムアクセスユニットと、
前記ランダムアクセス手順で端末により受信されたタイミングアドバンス（TA）に従って前記セカンダリセルのセカンダリTAを取得するように構成された取得ユニットと
を有し、
前記セカンダリセルの前記セカンダリTA及びプライマリセルのプライマリTAは、同じTAグループに属さない端末。
【請求項７】
前記取得ユニットにより取得された前記セカンダリTAは、前記ランダムアクセス手順で前記端末により受信された前記TAである、請求項６に記載の端末。
【請求項８】
前記セカンダリTAが前記取得ユニットにより取得された場合、前記セカンダリTATを開始するように構成された開始ユニットと、
前記セカンダリTATが満了した場合、前記セカンダリセルでの上りリンク送信を停止するように構成された処理ユニットと
を更に有する、請求項６又は７に記載の端末。
【請求項９】
前記受信ユニットは、前記ランダムアクセスユニットが前記ランダムアクセス手順を開始する前に、基地局から送信されたセカンダリセル活性化コマンドを受信するように更に構成され、
前記セカンダリセル活性化コマンドは、前記セカンダリセルを活性化するために使用される、請求項６ないし８のうちいずれか１項に記載の端末。
【請求項１０】
セカンダリタイミングアドバンス（TA）を取得する方法であって、
基地局により、ランダムアクセスコマンドを端末に送信するステップと、
前記端末が前記ランダムアクセスコマンドを受信した後に、セカンダリセルが活性化され、前記セカンダリセルのセカンダリ時間調整タイマ（TAT）が動作していない場合、前記基地局により、前記端末により開始されたランダムアクセス手順でTAを送信するステップと
を有し、
前記基地局により前記ランダムアクセス手順で送信された前記TAは、前記端末が前記セカンダリセルのセカンダリTAを取得するために使用され、
前記セカンダリセルの前記セカンダリTA及びプライマリセルのプライマリTAは、同じTAグループに属さない方法。
【請求項１１】
前記基地局により前記ランダムアクセス手順で送信された前記TAは、前記セカンダリセルの前記セカンダリTAである、請求項１０に記載の方法。
【請求項１２】
前記ランダムアクセス手順が前記端末により開始される前に、
前記基地局により、セカンダリセル活性化コマンドを前記端末に送信するステップを更に有し、
前記セカンダリセル活性化コマンドは、前記セカンダリセルを活性化するために使用される、請求項１０又は１１に記載の方法。
【請求項１３】
ランダムアクセスコマンドを端末に送信するように構成された第１の送信ユニットと、
前記端末が前記ランダムアクセスコマンドを受信した後に、セカンダリセルが活性化され、前記セカンダリセルのセカンダリ時間調整タイマ（TAT）が動作していない場合、前記端末により開始されたランダムアクセス手順でタイミングアドバンス（TA）を前記端末に送信するように構成された第２の送信ユニットと
を有し、
基地局により前記ランダムアクセス手順で送信された前記TAは、前記端末が前記セカンダリセルのセカンダリTAを取得するために使用され、
前記セカンダリセルの前記セカンダリTA及びプライマリセルのプライマリTAは、同じTAグループに属さない基地局。
【請求項１４】
前記基地局により前記ランダムアクセス手順で送信された前記TAは、前記セカンダリセルの前記セカンダリTAである、請求項１３に記載の基地局。
【請求項１５】
前記第１の送信ユニットは、セカンダリセル活性化コマンドを前記端末に送信するように更に構成され、
前記セカンダリセル活性化コマンドは、前記セカンダリセルを活性化するために使用される、請求項１３又は１４に記載の基地局。
【発明の詳細な説明】
【技術分野】
【０００１】
本発明は、通信技術の分野に関し、特に、セカンダリタイミングアドバンス（secondary  timing  advance）を取得する方法及び装置に関する。
【背景技術】
【０００２】
LTE（Long  Term  Evolution）システムは、3GPP（The  3rd  Generation  Partnership  Project）により策定された次世代の無線通信標準である。これは、高いスペクトル利用及び伝送速度並びに低い伝送遅延のような利点を有する。LTEシステムの端末は、タイミングアドバンス（TA：Timing  Advance）を使用することにより、基地局と上りリンク送信の同期を実施し、時間調整タイマ（TAT：Time  Alignment  Timer）を使用することにより、上りリンクの同期を維持する。TAの導入により、全ての端末の上りリンク送信は、基地局により想定された時間に行われることが可能となるため、上りリンク送信の間に端末間の衝突を回避し、時分割多重を実施する。
【０００３】
高いデータレートを提供するために、基地局は、端末について、データ送信におけるプライマリセル（PCell：Primary  Cell）を支援するために、１つ以上のセカンダリセル（SCell：Secondary  Cell）を構成することがある。プライマリセル及びセカンダリセルは、それぞれ上りリンクキャリアに対応し、異なる上りリンクキャリアでの送信は異なるTAを使用する必要がある。プライマリセルに対応するTAはプライマリTAとして知られ、プライマリセルに対応するTATはプライマリTATとして知られ、セカンダリセルに対応するTAはセカンダリTAとして知られ、セカンダリセルに対応するTATはセカンダリTATとして知られる。
【発明の概要】
【発明が解決しようとする課題】
【０００４】
従来技術では、セカンダリセルが構成された後に、セカンダリセルがプライマリセルの既存のTAを使用しない場合、端末は、セカンダリセルでランダムアクセスを開始することにより、セカンダリセルのセカンダリTAを取得する。これは、ランダムアクセス手順及びTAの維持手順におけるシグナリングオーバーヘッドを増加させ、システムリソースを浪費する可能性がある。
【０００５】
本発明の実施例は、セカンダリタイミングアドバンスを取得する方法及び装置を提供し、これは、シグナリングオーバーヘッドを低減し、セカンダリTAの取得中のシステムリソースを節約することができる。
【課題を解決するための手段】
【０００６】
本発明の実施例は、セカンダリタイミングアドバンスを取得する方法を提供し、この方法は、セカンダリセル活性化コマンドが受信された後又はセカンダリセルが活性化された後に、セカンダリセルのセカンダリ時間調整タイマ（TAT）が動作していない場合、端末により、ランダムアクセス手順を開始し、端末により、ランダムアクセス手順で受信したタイミングアドバンス（TA）に従ってセカンダリセルのセカンダリTAを取得することを含む。
【０００７】
本発明の実施例は、セカンダリタイミングアドバンスを取得する他の方法を提供し、この方法は、セカンダリセル活性化コマンドを端末に送信し、端末により開始されたランダムアクセスに従ってランダムアクセス手順でTAを端末に送信することを含み、端末がセカンダリセル活性化コマンドを受信した後又はセカンダリセル活性化コマンドに従ってセカンダリセルが活性化されたと確認された後に、セカンダリセルのセカンダリTATが動作していない場合、ランダムアクセスが開始される。
【０００８】
本発明の実施例は、上りリンク同期外れを処理する方法を提供する。この方法は、端末により、構成されたセカンダリセルのセカンダリTATを開始し、セカンダリセルのTATが満了した場合、端末により、基地局に通知すること及び／又はセカンダリセルでの上りリンク送信を停止すること及び／又はセカンダリセルを活性化することを含む。
【０００９】
本発明の実施例は、端末を提供し、この端末は、セカンダリセル活性化コマンドを受信するように構成された受信ユニットと、受信ユニットがセカンダリセルランダムアクセスコマンドを受信した後又はセカンダリセルが活性化された後に、セカンダリセルのセカンダリ時間調整タイマ（TAT）が動作していない場合、ランダムアクセス手順を開始するように構成されたランダムアクセスユニットと、ランダムアクセス手順で受信したタイミングアドバンス（TA）に従ってセカンダリセルのセカンダリTAを取得するように構成された取得ユニットとを含む。
【００１０】
本発明の実施例は、基地局を提供し、この基地局は、セカンダリセル活性化コマンドを端末に送信するように構成された第１の送信ユニットと、端末により開始されたランダムアクセスに従ってランダムアクセス手順でTAを端末に送信するように構成された第２の送信ユニットとを含み、端末がセカンダリセル活性化コマンドを受信した後又はセカンダリセル活性化コマンドに従ってセカンダリセルが活性化されたと確認された後に、セカンダリセルのセカンダリTATが動作していない場合、ランダムアクセスが開始される。
【００１１】
本発明の実施例は、端末を提供し、この端末は、取得されたセカンダリTAに従ってセカンダリTATを開始するように構成された開始ユニットと、セカンダリセルのTATが満了した場合、セカンダリTATの満了を基地局に通知するように及び／又はセカンダリTATに対応するセカンダリセルでの上りリンク送信を停止するように及び／又はセカンダリTATに対応するセカンダリセルを非活性化するように構成された処理ユニットとを含む。
【発明の効果】
【００１２】
本発明の実施例に従ってセカンダリタイミングアドバンスを取得する方法及び装置により、端末は、端末がセカンダリセル活性化コマンドを受信した後又はセカンダリセルが活性化された後に、セカンダリタイミングアドバンスを取得するためにランダムアクセス手順を開始することにより、シグナリングオーバーヘッド及びシステムリソースを節約する。
【図面の簡単な説明】
【００１３】
【図１】本発明の実施例に従ってセカンダリタイミングアドバンスを取得する方法のフローチャート
【図２】本発明の他の実施例に従ってセカンダリタイミングアドバンスを取得する方法のフローチャート
【図３】本発明の更に他の実施例に従ってセカンダリタイミングアドバンスを取得する方法のフローチャート
【図４】本発明の更に他の実施例に従ってセカンダリタイミングアドバンスを取得する方法のフローチャート
【図５】本発明の更に他の実施例に従ってセカンダリタイミングアドバンスを取得する方法のフローチャート
【図６】本発明の更に他の実施例に従ってセカンダリタイミングアドバンスを取得する方法のフローチャート
【図７】図６で提供される実施例においてセカンダリTAを取得する概略図
【図８】本発明の更に他の実施例に従ってセカンダリタイミングアドバンスを取得する方法のフローチャート
【図９】図８で提供される実施例においてセカンダリTAを取得する概略図
【図１０】本発明の実施例に従って上りリンク同期外れを処理する方法のフローチャート
【図１１】本発明の実施例による端末の概略構成図
【図１２】本発明の他の実施例による端末の概略構成図
【図１３】本発明の実施例による基地局の概略構成図
【発明を実施するための形態】
【００１４】
本発明の実施例及び従来技術の技術的対策を更に明確に示すために、以下では、実施例又は従来技術を説明するために必要な添付図面について簡単に紹介する。明らかに、以下の説明における添付図面は、単に本発明のいくつかの実施例を示しているに過ぎず、当業者は、創造的取り組みを行うことなく、依然としてこれらの添付図面から他の図面を導くことがある。
【００１５】
本発明の実施例の目的、技術的対策及び利点を分かりやすくするために、以下では、本発明の実施例の添付図面を参照して本発明の実施例の技術的対策について明確且つ完全に説明する。明らかに、記載の実施例は、本発明の実施例の全てではなく、単なる一部である。創造的取り組みを行うことなく本発明の実施例に基づいて当業者により得られる全ての他の実施例は、本発明の保護範囲に入るものとする。
【００１６】
本発明の実施例において、基地局は、eNB（evolved  NodeB）、基地局（BS：Base  Station）、Node  B、アクセスポイント等でもよい。基地局は、マクロ基地局でもよく、中程度の基地局（medium  base  station）でもよく、ホーム基地局のようなマイクロ基地局でもよい。各基地局は、特定の地理的領域の通信カバレッジを提供することができる。“セル（cell）”という用語は、用語が使用される状況に応じて、基地局のカバレッジエリア及び／又は基地局サブシステムによりサービス提供されるカバレッジエリアでもよい。基地局は、マクロセル、ピコセル（pico  cell）、フェムトセル（femto  cell）及び／又は他の種類のセルの通信カバレッジを提供することができる。
【００１７】
本発明の実施例では、端末は、全体の無線ネットワークに分散してもよい。各端末は、静止してもよく、移動中でもよい。端末は、ユーザ装置（UE：user  equipment）、移動局（MS：mobile  station）、加入者ユニット（subscriber  unit）、局（station）等でもよい。端末はまた、携帯電話、パーソナルデジタルアシスタント（PDA：personal  digital  assistant）、モデム、無線通信装置、ハンドヘルド装置、ラップトップコンピュータ、コードレス電話、無線ローカルループ（WLL：wireless  local  loop）局等でもよい。端末は、マクロ基地局、ピコ基地局及びフェムト基地局のような基地局と通信することができる。端末はまた、基地局と通信し、端末と同様の役目を果たす通信装置でもよい。例えば、初期ネットワークアクセスの間に、中継ノード（RN：relay  node）は、RNが基地局と通信するときに端末としてネットワークにアクセスする。
【００１８】
図１は、本発明の実施例に従ってセカンダリタイミングアドバンスを取得する方法のフローチャートである。図１に示すように、この方法は以下のステップを含む。
【００１９】
S101：端末がセカンダリセル活性化コマンド（secondary  cell  activation  command）を受信した後又はセカンダリセルが活性化（activate）された後に、セカンダリセルのセカンダリTATが動作していない場合、端末は、ランダムアクセス手順を開始する。ただし、セカンダリセルのセカンダリTAはプライマリセルのプライマリTAと異なる。
【００２０】
S102：端末は、ランダムアクセス手順で受信したTAに従ってセカンダリTAを取得する。
【００２１】
基地局は、端末に送信されたランダムアクセス手順のメッセージ2でTAを伝達してもよい。TAを取得した後に、端末は、TATを開始してもよい。TATが動作している間に、端末は、上りリンク同期状態にある。本発明の実施例では、端末の上りリンク送信が基地局と同期するように、基地局により、媒体アクセス制御（MAC：Medium  Access  Control）レイヤのタイミングアドバンスコマンドを送信することにより、TAを較正することが更に含まれてもよい。端末は、上りリンク送信が基地局と同期するように、TAコマンドで受信した較正されたTA値に従ってTATを再開する。
【００２２】
本発明の実施例では、端末は、セカンダリセル活性化コマンドを受信する。セカンダリセルは、活性化されていてもよく、活性化されていなくてもよい。セカンダリセル活性化コマンドを受信した後に、端末は、セカンダリセルが活性化されていても活性化されていなくても、セカンダリセルのセカンダリTATが動作していない場合、ランダムアクセス手順を開始してもよい。或いは、セカンダリセル活性化コマンドを受信した後に、端末は、セカンダリセルが活性化されたと確認し、セカンダリセルのセカンダリTATが動作していない場合、ランダムアクセス手順を開始してもよい。
【００２３】
この実施例では、セカンダリセルのセカンダリTA及びプライマリセルのプライマリTAは異なってもよい。すなわち、これらは同じTAグループ（TAG：TA  Group）に属さない。複数のセカンダリセルが存在する場合、これらのセカンダリセルのセカンダリTAは、プライマリセルのプライマリTAと異なってもよい。更に、これらのセカンダリセルのセカンダリTAは同じでもよい。例えば、プライマリセルのプライマリTAと異なるセカンダリTAを備えたセカンダリセルが物理ランダムアクセスチャネル（PRACH：Physical  Random  Access  Channel）リソースを有する場合、端末は、PRACHリソースを有するセカンダリセルを参照セルとして使用し、このセカンダリセルでランダムアクセス手順を開始してもよい。プライマリセルのプライマリTAと異なるセカンダリTAを備えた複数のセカンダリセルが存在し、複数のセカンダリセルのセカンダリTAが同じである場合、これらのセカンダリセルの中で少なくとも１つのセカンダリセルがPRACHリソースを有する場合には、端末は、PRACHリソースを有するセカンダリセルを参照セルとして使用し、このセカンダリセルでランダムアクセス手順を開始してもよい。参照セルの機能は、端末によるランダムアクセス手順の開始中に、端末がプリアンブル（preamble）を送信するときに参照セルの下りリンクキャリアに参照が行われることである。
【００２４】
本発明の実施例では、端末がセカンダリセル活性化コマンドを受信した後又はセカンダリセルが活性化された後に、セカンダリセルのセカンダリTATが動作していない場合、端末は、セカンダリセルのセカンダリTAを取得するために、ランダムアクセス手順を開始してもよい。端末は、セカンダリセル活性化コマンドが受信された後又はセカンダリセルが活性化された後に、セカンダリセルのセカンダリTATが動作していない場合、直ちにランダムアクセス手順を自発的に開始してもよい。或いは、端末は、ランダムアクセス手順を自発的に開始せず、基地局によりトリガーされたときにランダムアクセスを開始してもよい。例えば、セカンダリセル活性化コマンドが受信された後又はセカンダリセルが活性化された後に、セカンダリセルのセカンダリTATが動作していない場合、端末は、ランダムアクセスコマンドを受信した後に、ランダムアクセスコマンドに従ってランダムアクセス手順を開始してもよい。基地局により送信されたランダムアクセスコマンドが参照セルを指定する場合、端末は、指定された参照セルに従って、PRACHリソースを有するセカンダリセルでランダムアクセス手順を開始してもよい（すなわち、端末によるランダムアクセスの開始中に、端末がプリアンブルを送信するときに基地局により指定された参照セルの下りリンクキャリアに参照が行われる）。ランダムアクセスコマンドが参照セルを指定しない場合、端末は、ランダムアクセスコマンドを伝達するセルを参照セルとして使用し、ランダムアクセスコマンドを伝達するセルでランダムアクセス手順を開始してもよい。本発明の実施例では、端末はまた、ランダムアクセスタイマを設定してもよい。セカンダリセル活性化コマンドが受信された後又はセカンダリセルが活性化された後に、セカンダリセルのセカンダリTATが動作していない場合、ランダムアクセスコマンドがランダムアクセスタイマにより設定された期間内に受信された場合には、端末は、ランダムアクセスコマンドで指定された参照セルに従ってランダムアクセスを開始してもよく、ランダムアクセスコマンドを伝達するセルでランダムアクセス手順を開始してもよい。ランダムアクセスコマンドがランダムアクセスタイマにより設定された期間内に受信されなかった場合、端末は、セカンダリセルを参照セルとして使用し、このセカンダリセルでランダムアクセス手順を開始してもよい。すなわち、ランダムアクセスタイマを用いて、端末は、まずランダムアクセスタイマにより設定された期間を待機する。ランダムアクセスコマンドが設定された期間内に受信された場合、端末は、ランダムアクセスコマンドに従ってランダムアクセス手順を開始する。ランダムアクセスコマンドが設定された期間内に受信されなかった場合、端末は、設定された期間が満了した後にランダムアクセスコマンドを開始する。
【００２５】
端末がセカンダリTAを取得するためにセカンダリセルでランダムアクセスを開始する場合、セカンダリTAは、ランダムアクセス手順で端末により受信されたTAでもよい。例えば、基地局は、ランダムアクセス手順でランダムアクセス手順のメッセージ2（message  2）（すなわち、ランダムアクセス手順の応答メッセージ）を端末に送信してもよい。ただし、メッセージ2は、TAを伝達する。理解できるように、本発明の実施例では、基地局はまた、ランダムアクセス手順で端末に送信される他のメッセージでTAを伝達してもよい。
【００２６】
更に、本発明の実施例では、端末は、プライマリセルを参照セルとして使用し、セカンダリセルでランダムアクセス手順を開始してもよい。この場合、端末により取得されるセカンダリTAは、ランダムアクセス手順で送信されたTAでなくてもよい。端末により取得されるセカンダリTAは、ランダムアクセス手順で受信したTAである、基地局により送信されたセカンダリTAと、セカンダリセルの下りリンクキャリアのタイミング値とプライマリセルの下りリンクキャリアのタイミング値との差との合計でもよい。或いは、端末により取得されるセカンダリTAは、ランダムアクセス手順で受信したTAの２倍と、プライマリセルのTAとの差でもよい。同様に、基地局は、ランダムアクセス手順で端末に送信されるランダムアクセス手順のメッセージ2でTAを伝達してもよく、ランダムアクセス手順で端末に送信される他のメッセージでTAを伝達してもよい。
【００２７】
本発明の実施例では、端末のセカンダリセルの全てがPRACHリソースを有さない場合、端末は、セカンダリセルを参照セルとして使用し、プライマリセルでランダムアクセス手順を開始してもよい。この場合、端末により取得されるセカンダリTAは、ランダムアクセス手順で基地局により送信されたTAと、セカンダリセルの下りリンクキャリアのタイミング値とプライマリセルの下りリンクキャリアのタイミング値との差との合計でもよい。或いは、端末により取得されるセカンダリTAは、ランダムアクセス手順で受信したTAの２倍と、プライマリセルのTAとの差でもよい。
【００２８】
この実施例に従ってセカンダリタイミングアドバンスを取得する方法では、セカンダリセルのセカンダリTAが取得される必要がある場合、端末は、ランダムアクセス手順を独断で開始する代わりに、セカンダリセル活性化コマンドが受信された後又はセカンダリセルが活性化された後に、セカンダリタイミングアドバンスを取得するためにランダムアクセス手順を開始してもよい。これは、セカンダリセルが非活性化状態にあるときのTAの維持手順及びランダムアクセス手順における不要なシグナリングオーバーヘッド及びシステムリソースの浪費を回避することができるため、シグナリングオーバーヘッド及びシステムリソースを節約する。
【００２９】
図２は、本発明の他の実施例に従ってセカンダリタイミングアドバンスを取得する方法のフローチャートである。図２に示すように、この方法は以下のステップを含む。
【００３０】
S201：セカンダリセル活性化コマンドを端末に送信する
S202：端末により開始されたランダムアクセスに従ってランダムアクセス手順でTAを端末に送信する。ただし、セカンダリセル活性化コマンドが受信された後又はセカンダリセルが活性化されたと確認された後に、セカンダリセルのセカンダリTATが動作していない場合、ランダムアクセスが開始される。また、セカンダリセルのセカンダリTAは、プライマリセルのプライマリTAと異なる。
【００３１】
この実施例では、端末がセカンダリTAを取得するために、TAはランダムアクセス手順を通じて端末に送信される。
【００３２】
前述のステップの実行主体は、基地局でもよい。
【００３３】
本発明の実施例では、基地局は、セカンダリセル活性化コマンドを端末に送信し、端末は、セカンダリセル活性化コマンドが受信された後又はセカンダリセルが活性化された後に、セカンダリセルのセカンダリTATが動作していない場合、セカンダリセルのセカンダリTAを取得するために、ランダムアクセス手順を開始してもよい。
【００３４】
この実施例では、端末は、PRACHリソースを有するセカンダリセルを参照セルとして使用し、このセカンダリセルでランダムアクセス手順を開始してもよい。端末により取得されるセカンダリTAは、ランダムアクセス手順で基地局により端末に送信されたTAでもよい。或いは、端末は、プライマリセルを参照セルとして使用し、セカンダリセルでランダムアクセス手順を開始してもよい。或いは、端末のセカンダリセルの全てがPRACHリソースを有さない場合、端末は、セカンダリセルを参照セルとして使用し、プライマリセルでランダムアクセス手順を開始してもよい。この実施例では、端末がランダムアクセス手順を開始するために、図１に示す方法の実施例に参照が行われてもよい。
【００３５】
図３は、本発明の更に他の実施例に従ってセカンダリタイミングアドバンスを取得する方法のフローチャートである。図３に示すように、セカンダリセル活性化コマンドが受信された後又はセカンダリセルが活性化された後に、セカンダリセルのセカンダリTATが動作していない場合、端末は、セカンダリセルを参照セルとして使用し、セカンダリセルのセカンダリTAを取得するために、セカンダリセルでランダムアクセス手順を開始する。同じセカンダリTAを備えた複数のセカンダリセルについて、少なくとも１つのセカンダリセルは、端末がPRACHリソースを有するセカンダリセルでランダムアクセス手順を開始し得るように、PRACHリソースを有するべきである点に留意すべきである。
【００３６】
S301：基地局は、端末について複数のセカンダリセルを構成する。
【００３７】
この実施例では、例えば、２つのセカンダリセルSCell1及びSCell2が存在する。SCell1及びプライマリセルは、同じTAグループTAG1に属する。SCell2は他のTAグループTAG2に属する。SCell2はプライマリTAを使用しないため、端末は、SCell2に対応するセカンダリTA（すなわち、TA2）を取得する必要がある。更に、基地局は、SCell2がPRACHリソースを有することを示してもよい。
【００３８】
S302：端末は、基地局により送信されたセカンダリセル活性化コマンドを受信する。
【００３９】
例えば、基地局は、活性化／非活性化MAC制御要素（Activation/Deactivation  MAC  Control  Element）でセカンダリセル活性化コマンドを伝達してもよい。
【００４０】
このセカンダリセル活性化コマンドは、双方のセカンダリセルSCell1及びSCell2を活性化するために使用されてもよい。
【００４１】
S303：端末は、SCell2を参照セルとして使用し、SCell2のPRACHでランダムアクセス手順を開始する。
【００４２】
SCell2を活性化した後に、端末がSCell2のセカンダリTAT（TAT2）が動作していないことを検出した場合、端末は、SCellのセカンダリTA（すなわち、TA2）を取得するために、ランダムアクセス手順を開始してもよい。端末は、SCell2を参照セルとして使用する。すなわち、端末は、SCell2の下りリンクキャリアを参照に使用する。端末がプリアンブルを送信するためにSCell2の上りリンクサブフレームnのPRACHを選択した場合、プリアンブルが送信され始める時間は、SCell2に対応する下りリンクサブフレームnが受信され始める時間である。ただし、nはサブフレームを識別する負でない整数でもよく、サブフレームを識別するために使用されるシンボル又は文字でもよい。
【００４３】
S304：端末は、ランダムアクセス手順のメッセージに従ってセカンダリTAを取得する
端末は、基地局により送信されたランダムアクセス手順のメッセージ2を受信する。ただし、ランダムアクセス手順のメッセージ2はTAを伝達する。この場合、端末により取得されたTA2は、端末がTAT2を開始し得るように、メッセージ2で伝達されたTAでもよい。
【００４４】
この実施例では、プライマリTAを使用せずに、セカンダリセルSCell2のセカンダリTAを取得する処理が提供される。基地局が端末についてSCell2と同じTAに属する他のセカンダリセルも構成する場合、他のセカンダリセルのTAは、この実施例で提供される方法を使用することにより取得されてもよい。基地局が端末についてSCell2と同じTAに属さない他のセカンダリセルも構成する場合、他のセカンダリセルが活性化された後に、対応するセカンダリTATが動作していない場合に、端末はまた、他のセカンダリセルに対応するセカンダリTAを取得するために、PRACHリソースを有するセカンダリセルでランダムアクセス手順を開始する必要がある。
【００４５】
この実施例では、端末がランダムアクセス手順を自発的に開始する場合、端末は、他の端末とPRACHリソースを競合する必要がある点に留意すべきである。従って、ランダムアクセス手順が失敗する可能性がある。端末がランダムアクセス手順の開始を失敗した場合、端末は、ランダムアクセスが成功するまで、又はランダムアクセス試行回数が最大値を超えるまで、SCell2を参照セルとして使用し、SCell2のPRACHでランダムアクセス手順を開始し続けてもよい。
【００４６】
図４は、本発明の更に他の実施例に従ってセカンダリタイミングアドバンスを取得する方法のフローチャートである。図４に示すように、この実施例では、セカンダリセル活性化コマンドが受信された後又はセカンダリセルが活性化された後に、セカンダリセルのセカンダリTATが動作していない場合、端末は、直ちにランダムアクセスを開始しない。その代わりに、端末が基地局により送信されたランダムアクセスコマンドを受信した後に、端末は、ランダムアクセスコマンドを伝達するセルを参照セルとして使用し、セカンダリセルのセカンダリTAを取得するために、この参照セルでランダムアクセス手順を開始してもよい。ランダムアクセスコマンドを伝達するセカンダリセルは、端末がセカンダリセルでランダムアクセス手順を開始し得るように、PRACHリソースを有する点に留意すべきである。
【００４７】
S401：基地局は、端末についてセカンダリセルを構成する。
【００４８】
この実施例では、基地局は、端末についてセカンダリセルSCell1を構成してもよく、SCell1はプライマリセルPCellと同じTAグループに属さず、他のTAグループTAG2に属することを示してもよい。更に、基地局は、SCell1がPRACHリソースを有することを示す。
【００４９】
S402：端末は、基地局により送信されたセカンダリセル活性化コマンドを受信する。
【００５０】
このコマンドは、セカンダリセルSCell1を活性化するために使用される。
【００５１】
S403：端末は、SCell1でランダムアクセスコマンドを受信する
端末により受信されたランダムアクセスコマンドは、例えば、物理下りリンク制御チャネル命令（PDCCH  order：Physical  Downlink  Control  Channel  Order）でもよい。
【００５２】
基地局はSCell1がPRACHリソースを有することを示すため、基地局は、SCell1でランダムアクセス手順を開始するように端末をトリガーするために、ランダムアクセスコマンドを使用してもよい。
【００５３】
S404：端末は、SCell1を参照セルとして使用し、SCell1でランダムアクセス手順を開始する。
【００５４】
S405：端末は、ランダムアクセス手順のメッセージに従ってセカンダリTAを取得する
端末は、基地局により送信されたランダムアクセス手順のメッセージ2を受信する。ただし、ランダムアクセス手順のメッセージ2はTAを伝達する。端末により取得されたScellのセカンダリTAは、端末がSCellに対応するセカンダリTATを開始し得るように、メッセージ2で伝達されたTAでもよい。
【００５５】
図５は、本発明の更に他の実施例に従ってセカンダリタイミングアドバンスを取得する方法のフローチャートである。図５に示すように、この実施例では、セカンダリセル活性化コマンドが受信された後又はセカンダリセルが活性化された後に、セカンダリセルのセカンダリTATが動作していない場合、端末は、ランダムアクセスタイマを開始する。ランダムアクセスタイマが満了する前に端末が基地局により送信されてセカンダリセルのTAを取得するために使用されるランダムアクセスコマンドを受信した場合、端末はタイマを停止し、基地局により送信されたランダムアクセスコマンドに従って、コマンドを伝達するセカンダリセル又はランダムアクセスコマンドで指定されたセルでランダムアクセスを開始する。ランダムアクセスタイマが満了する前に端末が基地局により送信されたランダムアクセスコマンドを受信しなかった場合、端末は、セカンダリセルを参照セルとして使用し、ランダムアクセス手順を開始するセカンダリセルがPRACHリソースを有するという前提で、対応するTAを取得するために、ランダムアクセス手順を開始してもよい。
【００５６】
S501：基地局は、端末についてセカンダリセルを構成する。
【００５７】
この実施例では、基地局は、端末についてセカンダリセルSCell1を構成してもよく、SCell1はプライマリセルPCellと同じTAグループに属さず、他のTAグループTAG2に属することを示してもよい。更に、基地局は、SCell1がPRACHリソースを有することを示す。
【００５８】
S502：端末が基地局により送信されたセカンダリセル活性化コマンドを受信した後又はセカンダリセルが活性化された後に、端末は、ランダムアクセスタイマを開始する。
【００５９】
セカンダリセル活性化コマンドは、セカンダリセルSCell1を活性化するために使用される。
【００６０】
S503：ランダムアクセスタイマが満了する前に、端末がSCell1で基地局により送信されたランダムアクセスコマンドを受信しなかった場合、端末は、SCell1を参照セルとして使用し、SCell1でランダムアクセス手順を開始する。
【００６１】
S504：端末は、基地局により送信されたランダムアクセス手順のメッセージを受信し、セカンダリTAを取得する。
【００６２】
端末は、基地局により送信されたランダムアクセス手順のメッセージ2を受信する。ただし、ランダムアクセス手順のメッセージ2はTAを伝達する。端末により取得されたScellのセカンダリTAは、端末がSCellに対応するセカンダリTATを開始し得るように、メッセージ2で伝達されたTAでもよい。
【００６３】
ランダムアクセスタイマが満了する前に端末がTAG2について基地局により送信されたランダムアクセスコマンドを受信した場合、且つ、ランダムアクセスコマンドが参照セル又は取得される必要があるTAを明確に指定する場合、端末は、ランダムアクセスコマンドで指定されたセルを参照セルとして使用し、ランダムアクセス手順を開始するセカンダリセルがPRACHリソースを有するという前提で、TAを取得するために取得される必要があるセカンダリTAに対応するセカンダリセルでランダムアクセス手順を開始してもよい点に留意すべきである。ランダムアクセスコマンドが参照セルを明確に指定しない場合、端末は、ランダムアクセスコマンドを伝達するセルを参照セルとして使用し、セカンダリTAを取得するために、参照セルでランダムアクセス手順を開始してもよい。
【００６４】
図６は、本発明の更に他の実施例に従ってセカンダリタイミングアドバンスを取得する方法のフローチャートである。図６に示すように、この実施例では、セカンダリセル活性化コマンドが受信された後又はセカンダリセルが活性化された後に、セカンダリセルはPRACHリソースを有さない。セカンダリセルのセカンダリTATが動作していない場合、端末は、セカンダリセルを参照セルとして使用し、TAを取得するために、プライマリセルでランダムアクセス手順を開始してもよい。ただし、セカンダリTA=TA_msg2+delta又は2*TA_msg2-TA_pcellである。TA_msg2はランダムアクセス手順のメッセージ2で伝達されたTAであり、deltaはセカンダリセルの下りリンクキャリアのタイミング値とプライマリセルの下りリンクキャリアのタイミング値との差であり、TA_pcellはプライマリセルのTAである。
【００６５】
S601：基地局は、端末についてセカンダリセルを構成する。
【００６６】
この実施例では、基地局は、端末についてセカンダリセルSCell1を構成し、SCell1はプライマリセルPCellと同じTAグループに属さず、他のTAグループTAG2に属することを示す。
【００６７】
S602：端末は、基地局により送信されたセカンダリセル活性化コマンドを受信する。
【００６８】
このセカンダリセル活性化コマンドは、セカンダリセルSCell1を活性化するために使用されてもよい。
【００６９】
S603：端末は、SCell1を参照セルとして使用し、プライマリセルPCellでランダムアクセス手順を開始する。
【００７０】
端末が基地局により送信されたセカンダリセル活性化コマンドを受信した後又はSCell1が活性化された後に、SCell1のセカンダリTATが動作していないことを端末が検出した場合、端末は、SCellのセカンダリTAを取得するためにランダムアクセス手順を開始してもよい。端末は、SCell1を参照セルとして使用する。すなわち、端末は、SCell1の下りリンクキャリアを参照に使用する。端末がプリアンブルを送信するためにPCellの上りリンクサブフレームnのPRACHを選択した場合、プリアンブルが送信され始める時間は、SCell1に対応する下りリンクサブフレームnが受信され始める時間である。ただし、nはサブフレームを識別する負でない整数でもよく、サブフレームを識別するために使用されるシンボル又は文字でもよい。
【００７１】
S604：端末は、基地局により送信されたランダムアクセス手順のメッセージを受信し、セカンダリTAを取得する。
【００７２】
端末は、基地局により送信されたランダムアクセス手順のメッセージ2を受信し、SCellのセカンダリTATが開始され得るように、ランダムアクセス手順のメッセージ2で伝達されたTAに従ってSCell1のセカンダリTAを計算する。
【００７３】
図７は、図６で提供される実施例に従ってセカンダリTAを取得する概略図である。図７は、TA2を計算する方法を示している。
【００７４】
図７において、Msg1はランダムアクセス手順のメッセージ1（message  1）であり、メッセージ1はプリアンブルを含んでもよい。eNBはevolved  NodeB（evolved  base  station）である。
TA2=TA_msg2+delta又はTA2=2×TA_msg2-TA_pcell
ただし、TA_msg2はランダムアクセス手順のメッセージ2で伝達されたTAであり、deltaはセカンダリセルの下りリンクキャリアのタイミング値とプライマリセルの下りリンクキャリアのタイミング値との差であり、TA_pcellはプライマリセルのTAである。
【００７５】
図８は、本発明の更に他の実施例に従ってセカンダリタイミングアドバンスを取得する方法のフローチャートである。図８に示すように、この実施例では、セカンダリセル活性化コマンドが受信された後又はセカンダリセルが活性化された後に、セカンダリセルのセカンダリTATが動作していない場合、端末は、プライマリセルを参照セルとして使用し、TAを取得するために、セカンダリセルでランダムアクセス手順を開始する。セカンダリTA=TA_msg2+delta又は2*TA_msg2-TA_pcellである。TA_msg2はランダムアクセス手順のメッセージ2で伝達されたTAであり、deltaはセカンダリセルの下りリンクキャリアのタイミング値とプライマリセルの下りリンクキャリアのタイミング値との差であり、TA_pcellはプライマリセルのTAである。
【００７６】
S701：基地局は、端末についてセカンダリセルを構成する。
【００７７】
この実施例では、基地局は、端末についてセカンダリセルSCell1を構成し、SCell1はプライマリセルPCellと同じTAグループに属さず、他のTAグループTAG2に属することを示してもよい。
【００７８】
S702：端末は、基地局により送信されたセカンダリセル活性化コマンドを受信する。
【００７９】
このコマンドは、セカンダリセルSCell1を活性化するために使用されてもよい。
【００８０】
S703：端末は、PCellを参照セルとして使用し、セカンダリセルSCell1でランダムアクセス手順を開始する。
【００８１】
端末が基地局により送信されたセカンダリセル活性化コマンドを受信した後又はSCell1が活性化された後に、SCell1のセカンダリTATが動作していないことを端末が検出した場合、端末は、SCellのセカンダリTAを取得するためにランダムアクセス手順を開始してもよい。端末は、PCellを参照セルとして使用する。すなわち、端末は、PCellの下りリンクキャリアを参照に使用する。端末がプリアンブルを送信するためにSCell1の上りリンクサブフレームnのPRACHを選択した場合、プリアンブルが送信され始める時間は、PCellに対応する下りリンクサブフレームnが受信され始める時間である。ただし、nはサブフレームを識別する負でない整数でもよく、サブフレームを識別するために使用されるシンボル又は文字でもよい。
【００８２】
S704：端末は、基地局により送信されたランダムアクセス手順のメッセージを受信し、セカンダリTAを取得する。
【００８３】
端末は、基地局により送信されたランダムアクセス手順のメッセージ2を受信し、SCellのセカンダリTATが開始され得るように、ランダムアクセス手順のメッセージ2で伝達されたTAに従ってSCell1のセカンダリTAを取得する。
【００８４】
図９は、図８で提供される実施例に従ってセカンダリTAを取得する概略図である。図９は、TA2を計算する方法を示している。
【００８５】
図９において、Msg1はランダムアクセス手順のメッセージ1であり、メッセージ1はプリアンブルを含んでもよい。eNBはevolved  NodeB（evolved  base  station）である。
TA2=TA_msg2+delta又はTA2=2×TA_msg2-TA_pcel、或いは、TA2=TA_pcell+2×delta
ただし、TA_msg2はランダムアクセス手順のメッセージ2で指定されたTAであり、deltaはセカンダリセルの下りリンクキャリアのタイミング値とプライマリセルの下りリンクキャリアのタイミング値との差であり、TA_pcellはプライマリセルのTAである。
【００８６】
従来技術では、セカンダリTATが満了した場合、端末は、全ての上りリンクHARQ（Hybrid  Automatic  Repeat  Request）のバッファをリフレッシュし、半静的にスケジューリングされた上りリンク及び下りリンクリソースをクリアし、物理上りリンク制御チャネル（PUCCH：Physical  Uplink  Control  Channel）及び／又はサウンディングリファレンス信号（SRS：Sounding  Reference  Signal）のリソースを解放するように無線リソース制御（RRC：Radio  Resource  Control）レイヤに通知する。しかし、これは、PUCCH、SRS及び半静的にスケジューリングされたリソースが不正確に解放されることを生じる可能性があり、このことはデータ伝送に更に影響を与える。更に、基地局がセカンダリセルの上りリンク同期外れを知る前に、基地局は、同期外れのセカンダリセルをスケジューリングし続ける可能性がある。その結果、リソースが浪費され、無効なセカンダリTAの適用により、上りリンクの衝突が生じる可能性がある。
【００８７】
本発明の実施例は、PUCCH、SRS及び半静的にスケジューリングされたリソースを不正確に解放することによりデータ伝送が影響を受け、基地局による同期外れのセカンダリセルのスケジューリングによりリソースの浪費及び上りリンクの衝突が生じるという従来技術の問題を解決するための方法を更に提供する。図１０は、本発明に従って上りリンク同期外れを処理する方法のフローチャートである。図１０に示すように、この方法は特に以下のステップを含む。
【００８８】
S801：端末は、構成されたセカンダリセルのセカンダリTATを開始する。
【００８９】
S802：セカンダリセルのセカンダリTATが満了した場合、端末は、基地局に通知する及び／又はセカンダリセルでの上りリンク送信を停止する及び／又はセカンダリセルを活性化する。
【００９０】
本発明の実施例では、端末は、例えば、セカンダリセルのセカンダリTATが開始されるように、前述のセカンダリタイミングアドバンスを取得する前述の方法の実施例に従って、セカンダリセルのセカンダリTATを取得してもよい。
【００９１】
例えば、基地局は、端末についてセカンダリセルSCell1及びSCell2を構成し、SCell1及びSCell2を活性化し、構成メッセージにおいて、SCell1及びSCell2がTAG2に属することを示す。端末は、SCell1及びSCell2のセカンダリTAT（すなわち、TAT2）を開始する。TAT2が満了した場合、端末は、基地局に通知する及び／又はSCell1及びSCell2での上りリンク送信を停止する及び／又はSCell1及びSCell2を非活性化する。
【００９２】
RRCシグナリング（これは新たに規定されたRRCシグナリングでもよい）、媒体アクセス制御の制御要素（MAC  CE：Media  Access  Control  Component  Element）又は物理レイヤ（PHY：Physical）シグナリングを使用することにより、端末は、プライマリセル又は上りリンク同期の他のセカンダリセルで、TAT2の満了により生じた上りリンク同期外れが生じたことを基地局に通知してもよい。端末はまた、リソースの浪費及び可能性のある上りリンクの衝突を回避するために、全ての上りリンク送信（特に、物理上りリンク共有チャネルPUSCH、物理上りリンク制御チャネルPUCCH及びサウンディングリファレンス信号SRSの送信を含む）を停止してもよい。
【００９３】
この方法は、シグナリングオーバーヘッド及びシステムリソースを節約し、リソースの浪費及び可能性のある上りリンクの衝突を回避するために、本発明の実施例に従ってセカンダリタイミングアドバンスを取得する方法と組み合わせて使用されてもよい点に留意すべきである。
【００９４】
当業者は、実施例の方法の処理の全て又は一部が、関係するハードウェアに命令するコンピュータプログラム、又はチップ若しくはプロセッサにより実施されてもよいことを理解し得る。プログラムは、コンピュータ可読記憶媒体に格納されてもよい。プログラムが実行した場合、実施例の方法の処理が実行される。記憶媒体は、磁気ディスク、光ディスク、読み取り専用メモリ（ROM：Read-Only  Memory）又はランダムアクセスメモリ（RAM：Random  Access  Memory）でもよい。
【００９５】
図１１は、本発明の実施例による端末の概略構成図である。本発明の実施例で提供される端末は、本発明の前述の方法の実施例に適用されてもよい。図１１に示すように、端末は、受信ユニット11と、ランダムアクセスユニット12と、取得ユニット13とを含む。
【００９６】
受信ユニット11は、セカンダリセル活性化コマンドを受信するように構成される。セカンダリセルのセカンダリタイミングアドバンス（TA）は、プライマリセルのプライマリTAと異なる。
【００９７】
ランダムアクセスユニット12は、受信ユニット11がセカンダリセルランダムアクセスコマンドを受信した後又はセカンダリセルが活性化された後に、セカンダリセルのセカンダリ時間調整タイマ（TAT）が動作していない場合、ランダムアクセス手順を開始するように構成される。
【００９８】
取得ユニット13は、ランダムアクセス手順で受信したTAに従ってセカンダリTAを取得するように構成される。
【００９９】
受信ユニット11が基地局により送信されたセカンダリセル活性化コマンドを受信した後又はセカンダリセルが活性化された後に、セカンダリセルのセカンダリTATが動作していない場合、ランダムアクセスユニット12は、セカンダリセルのセカンダリTAを取得するために、ランダムアクセス手順を開始してもよい。ランダムアクセスユニット12は、受信ユニット11が基地局により送信されたセカンダリセル活性化コマンドを受信した後又はセカンダリセルが活性化された後に、セカンダリセルのセカンダリTATが動作していない場合、直ちにランダムアクセス手順を自発的に開始してもよい。或いは、ランダムアクセスユニット12は、ランダムアクセス手順を自発的に開始せず、基地局によりトリガーされたときにランダムアクセスを開始してもよい。例えば、端末がセカンダリセル活性化コマンドを受信した後に、ランダムアクセスユニット12は、ランダムアクセスコマンドに従ってランダムアクセス手順を開始してもよい。或いは、ランダムアクセスユニット12は、ランダムアクセスタイマにより設定された期間に従ってランダムアクセスを更に判定してもよい。端末がランダムアクセスタイマにより設定された期間内にランダムアクセスコマンドを受信した場合、ランダムアクセスユニット12は、ランダムアクセスコマンドで指定された参照セルに従ってランダムアクセスを開始してもよく、ランダムアクセスコマンドを伝達するセルでランダムアクセス手順を開始してもよい。ランダムアクセスコマンドがランダムアクセスタイマにより設定された期間内に受信されなかった場合、ランダムアクセスユニット12は、セカンダリセルを参照セルとして使用し、このセカンダリセルでランダムアクセスを開始してもよい。
【０１００】
プライマリセルと同じTAグループに属さないセカンダリセルがPRACHリソースを有する場合、又はセカンダリTAがプライマリセルのプライマリTAと同じTAグループに属さない複数のセカンダリセルの中で少なくとも１つのセカンダリセルがPRACHリソースを有する場合、ランダムアクセスユニット12は、PRACHリソースを有するセカンダリセルを参照セルとして使用し、このセカンダリセルでランダムアクセス手順を開始してもよい。
【０１０１】
ランダムアクセスユニット12により開始されるランダムアクセス手順は、自発的に開始されてもよく、基地局によりトリガーされたときに開始されてもよい。受信ユニット11は、基地局により送信されたランダムアクセスコマンドを更に受信してもよい。例えば、ランダムアクセスユニット12は、基地局により送信されたランダムアクセスコマンドに従ってランダムアクセス手順を開始する。ランダムアクセスユニット12は、指定された参照セルに従って、PRACHリソースを有するセカンダリセルでランダムアクセス手順を開始してもよく、ランダムアクセスコマンドを伝達するセルを参照セルとして使用し、ランダムアクセスコマンドを伝達するセルでランダムアクセス手順を開始してもよい。更に、端末は、ランダムアクセスタイマを含んでもよい。基地局により送信されたランダムアクセスコマンドがランダムアクセスタイマにより設定された期間内に受信されなかった場合、ランダムアクセスユニット12は、セカンダリセルを参照セルとして使用し、このセカンダリセルでランダムアクセス手順を開始してもよい。ランダムアクセスがセカンダリセルで開始された場合、取得ユニット13により取得されるセカンダリTAは、ランダムアクセス手順で受信したTAでもよい。
【０１０２】
更に、ランダムアクセスユニット12は、プライマリセルを参照セルとして使用し、セカンダリセルでランダムアクセス手順を開始してもよい。この場合、取得ユニット13により取得されるセカンダリTAは、ランダムアクセス手順で基地局により送信されたTAでなくてもよい。端末により取得されるセカンダリTAは、ランダムアクセス手順で受信したTAである、基地局により送信されたセカンダリTAと、セカンダリセルの下りリンクキャリアのタイミング値とプライマリセルの下りリンクキャリアのタイミング値との差との合計でもよい。或いは、取得ユニット13により取得されるセカンダリTAは、ランダムアクセス手順で受信したTAの２倍と、プライマリセルのTAとの差でもよい。
【０１０３】
端末のセカンダリセルの全てがPRACHリソースを有さない場合、ランダムアクセスユニット12は、セカンダリセルを依然として参照セルとして使用し、プライマリセルでランダムアクセス手順を開始してもよい。この場合、取得ユニット13により取得されるセカンダリTAは、ランダムアクセス手順で基地局により送信されたTAと、セカンダリセルの下りリンクキャリアのタイミング値とプライマリセルの下りリンクキャリアのタイミング値との差との合計でもよい。或いは、取得ユニット13により取得されるセカンダリTAは、ランダムアクセス手順で受信したTAの２倍と、プライマリセルのTAとの差でもよい。
【０１０４】
実施例では、端末が基地局により送信されたセカンダリセル活性化コマンドを受信した後又はセカンダリセルが活性化された後に、端末は、セカンダリタイミングアドバンスを取得するために、ランダムアクセス手順を開始することにより、シグナリングオーバーヘッド及びシステムリソースを節約する。
【０１０５】
図１２は、本発明の他の実施例による端末の概略構成図である。本発明の実施例で提供される端末は、本発明の前述の方法の実施例に適用されてもよい。図１２に示すように、端末は、受信ユニット11と、ランダムアクセスユニット12と、取得ユニット13とを含む。
【０１０６】
更に、ランダムアクセスユニット12は、セカンダリセルを参照セルとして使用し、セカンダリセルでランダムアクセス手順を開始するように特に構成される。
【０１０７】
受信ユニット11は、基地局により送信されたランダムアクセスコマンドを受信するように更に構成される。
【０１０８】
受信ユニット11により受信したランダムアクセスコマンドが参照セルを指定する場合、それに従って、ランダムアクセスユニット12は、ランダムアクセスコマンドで指定された参照セルに従ってセカンダリセルでランダムアクセス手順を開始するように構成されてもよい。
【０１０９】
ランダムアクセスユニット12は、ランダムアクセスコマンドを伝達するセルを参照セルとして使用し、ランダムアクセスコマンドを伝達するセルでランダムアクセス手順を開始するように更に構成される。
【０１１０】
実施例で提供される端末は、ランダムアクセスタイマ14を更に含んでもよい。ランダムアクセスタイマ14は、受信ユニット11が基地局により送信されたセカンダリセル活性化コマンドを受信した後又はセカンダリセルが活性化された後に開始される。
【０１１１】
ランダムアクセスユニット12は、基地局により送信されたランダムアクセスコマンドがランダムアクセスタイマ14により設定された期間内に受信されなかった場合、端末は、セカンダリセルを参照セルとして使用し、このセカンダリセルでランダムアクセス手順を開始するように特に構成される。
【０１１２】
取得ユニット13により取得されるセカンダリTAは、ランダムアクセス手順で受信したTAでもよい。
【０１１３】
ランダムアクセスユニット12は、プライマリセルを参照セルとして使用し、セカンダリセルでランダムアクセス手順を開始するように更に構成される。或いは、セカンダリセルを参照セルとして使用し、プライマリセルでランダムアクセス手順を開始するように更に構成される。
【０１１４】
従って、取得ユニット13により取得されるセカンダリTAは、ランダムアクセス手順で受信したTAと、セカンダリセルの下りリンクキャリアのタイミング値とプライマリセルの下りリンクキャリアのタイミング値との差との合計ある。或いは、ランダムアクセス手順で受信したTAの２倍と、プライマリセルのTAとの差である。
【０１１５】
ランダムアクセスユニット12は、ランダムアクセス手順の開始中に、参照セルの下りリンクキャリアを、プリアンブルを送信するときの参照に使用するように更に構成される。
【０１１６】
本発明の実施例で提供される端末は、開始ユニット15と、処理ユニット16とを更に含んでもよい。
【０１１７】
開始ユニット15は、取得ユニット13により取得されたセカンダリTAに従ってセカンダリTATを開始するように構成される。
【０１１８】
処理ユニット16は、セカンダリTATが満了した場合、セカンダリTATが満了したことを基地局に通知するように及び／又はセカンダリTATに対応するセカンダリセルでの上りリンク送信を停止するように及び／又はセカンダリTATに対応するセカンダリセルを非活性化するように構成される。
【０１１９】
本発明の実施例は、図１２に示す開始ユニット15及び処理ユニット16を含む端末を更に提供してもよい。端末は、本発明の実施例に従ってTAを取得する方法を使用することにより、セカンダリセルのセカンダリTAを取得してもよい。
【０１２０】
前述の実施例に基づいて、ランダムアクセスタイマ14が設定されてもよい。受信ユニット11がランダムアクセスタイマ14により設定された期間内に基地局により送信されたランダムアクセスコマンドを受信しなかった場合、ランダムアクセスユニット12は、依然としてセカンダリセルを参照セルとして使用し、セカンダリセル又はセカンダリセルと同じセカンダリTAを共有してPRACHリソースを有する他のセルでランダムアクセス手順を開始してもよい。この場合、基地局により送信されてランダムアクセス手順で取得ユニットにより取得されるTAは、セカンダリTAである。
【０１２１】
本発明の実施例で提供される端末は、本発明の実施例に従ってセカンダリタイミングアドバンスを取得する方法を実行する装置であり、本発明の実施例に従ってセカンダリタイミングアドバンスを取得する方法に対応する。端末がセカンダリタイミングアドバンスを取得する方法を実行するための特定の処理については、方法の実施例に参照が行われてもよく、詳細はここでは提供されない。
【０１２２】
本発明の実施例では、端末が基地局により送信されたセカンダリセル活性化コマンドを受信した後又はセカンダリセルが活性化された後に、端末は、セカンダリタイミングアドバンスを取得するために、ランダムアクセス手順を開始することにより、シグナリングオーバーヘッド及びシステムリソースを節約する。
【０１２３】
図１３は、本発明の実施例による基地局の概略構成図である。本発明の実施例で提供される基地局は、本発明の前述の方法の実施例に適用されてもよい。図１３に示すように、基地局は、第１の送信ユニット21と、第２の送信ユニット22とを含む。
【０１２４】
第１の送信ユニット21は、セカンダリセル活性化コマンドを端末に送信するように構成される。
【０１２５】
第２の送信ユニット22は、端末により開始されたランダムアクセスに従ってランダムアクセス手順でTAを端末に送信するように構成される。ただし、端末がセカンダリセル活性化コマンドを受信した後又はセカンダリセル活性化コマンドに従ってセカンダリセルが活性化されたと確認された後に、セカンダリセルのセカンダリTATが動作していない場合、ランダムアクセスが開始される。セカンダリセルのセカンダリTAは、プライマリセルのプライマリTAと異なる。
【０１２６】
この実施例では、TAは、端末がセカンダリTAを取得し得るように、第２の送信ユニット22を通じて端末に送信される。
【０１２７】
第１の送信ユニット21は、端末がランダムアクセス手順を開始する前にランダムアクセスコマンドを端末に送信するように更に構成される。これにより、端末は、ランダムアクセスコマンドを伝達するセルを参照セルとして使用し、ランダムアクセスコマンドを伝達するセルでランダムアクセス手順を開始する。ランダムアクセスコマンドが参照セルを指定する場合、端末は、ランダムアクセスコマンドで指定された参照セルに従ってセカンダリセルでランダムアクセス手順を開始する。
【０１２８】
ランダムアクセス手順で端末に送信されたTAは、セカンダリTAである。
【０１２９】
第１の送信ユニット21は、端末がランダムアクセス手順を開始する前にランダムアクセスコマンドを端末に送信するように更に構成される。これにより、端末は、プライマリセルを参照セルとして使用し、セカンダリセルでランダムアクセス手順を開始する。或いは、端末は、セカンダリセルを参照セルとして使用し、プライマリセルでランダムアクセス手順を開始する。
【０１３０】
実施例では、端末は、図１１及び図１２に示す実施例で提供される端末でもよい。
【０１３１】
本発明の実施例で提供される基地局は、本発明の実施例に従ってセカンダリタイミングアドバンスを取得する方法を実行する装置であり、本発明の実施例に従ってセカンダリタイミングアドバンスを取得する方法に対応する。基地局がセカンダリタイミングアドバンスを取得する方法を実行するための特定の処理については、方法の実施例に参照が行われてもよく、詳細はここでは提供されない。
【０１３２】
本発明の実施例では、基地局により送信されたセカンダリセル活性化コマンドが受信された後又はセカンダリセルが活性化された後に、基地局は、セカンダリタイミングアドバンスを取得するために、ランダムアクセス手順を開始することにより、シグナリングオーバーヘッド及びシステムリソースを節約する。
【０１３３】
最後に、前述の実施例は、本発明を限定するものではなく、単に本発明の技術的対策を説明することを意図するものである点に留意すべきである。本発明について前述の実施例を参照して詳細に説明したが、本発明の実施例の技術的対策の範囲を逸脱することなく、依然として前述の実施例に記載した技術的対策に変更が行われてもよく、そのいくつかの技術的特徴に等価置換が行われてもよいことを当業者は理解すべきである。
【０１３４】
この出願は、2011年4月2日に“METHOD  AND  DEVICE  FOR  OBTAINING  SECONDARY  TIMING  ADVANCE”という題で出願された中国特許出願第201110084167.7号の優先権を主張し、この全内容を援用する。
【図１】
0005632560.tif 000002
【図２】
0005632560.tif 000003
【図３】
0005632560.tif 000004
【図４】
0005632560.tif 000005
【図５】
0005632560.tif 000006
【図６】
0005632560.tif 000007
【図７】
0005632560.tif 000008
【図８】
0005632560.tif 000009
【図９】
0005632560.tif 000010
【図１０】
0005632560.tif 000011
【図１１】
0005632560.tif 000012
【図１２】
0005632560.tif 000013
【図１３】
0005632560.tif 000014